(57)【要約】【課題】ブリスターケース２と台紙１との固定（ロック）を容易に行うことが出来、しかも一旦固定するとロックを外すには困難となるスライド式ブリスターパックを提供する。【解決手段】ブリスターパック２の爪部５を、台紙１の切込み部６に差込む際に、差込み易くする手段と、一旦差込まれた爪部５が切込み部６から抜け難くする手段とを有する事を特徴とする。爪部５を差込み易くする手段として、爪スライド用係合部８の上部を欠如させたり、爪部５の付け根に侵食部７を設けたり、切込み部６の中央部に下側方向へ突出する切込み形状６ｃを設けたりする。また一旦挿入した爪部５を抜け難くする手段として、爪部５の幅を爪部５根元の幅よりも広い部分を設け段差を有する形状としたり、切込み部６の両端に上側方向へ突出する切込み形状６ｂを設けたりする。【選択図】図１
2007137443.tif 000002
【特許請求の範囲】
【請求項１】
商品を収容する商品収容凹部と左右両端部をコの字状に折り曲げて形成したスライド用係合溝を有する略平板状のブリスターケースと、ブリスターケースよりもスライドする上下方向に大きく、ブリスターケースのスライド用係合溝を対面状態でスライドさせ適正位置で固定する台紙とからなり、
ブリスターケースには台紙が挿入される側とは反対側（上部側）に台紙と互いに固定するための爪部を突設してあり、台紙にはスライド用係合溝に当接することにより適正位置で停止する突起を下部側に有し、更に台紙には停止した適正位置で上記爪部を差込むための切込み部を有するスライド式ブリスターパックであって、
ブリスターパックの爪部を台紙の切込み部に差込む際に差込み易くする手段と、一旦差込んだ爪部が切込み部から抜け難くする手段とを有する事を特徴とするスライド式ブリスターパック。
【請求項２】
上記差込み易くする手段として、スライド用係合溝の上部を欠如させた請求項１記載のスライド式ブリスターパック。
【請求項３】
上記差込み易くする手段として、ブリスターケースに設けた爪部の付け根部分に侵食部を有する請求項１記載のスライド式ブリスターパック。
【請求項４】
上記差込み易くする手段として、台紙に設けた切込み部の中央部に下側方向へ突出する切込み形状を有する請求項１記載のスライド式ブリスターパック。
【請求項５】
上記抜け難くする手段として、ブリスターケースに設けた爪部の幅を爪部根元の幅よりも広い部分を設け段差を有する形状である請求項１記載のスライド式ブリスターパック。
【請求項６】
上記抜け難くする手段としては、台紙に設けた切込み部の両端に上側方向へ突出する切込み形状を有する請求項５記載のスライド式ブリスターパック。
【発明の詳細な説明】
【技術分野】
【０００１】
本願発明は、化粧品、食品や日用品等を包装するのに用いるスライド式ブリスターパックであって、台紙へのブリスターケース装着が容易に行えるように、また不正な開封を防止する事を目的として包装を開ける際には開け難いようにしたスライド式ブリスターパックに関するものである。
【背景技術】
【０００２】
従来からスライド式ブリスターパックとして、特許文献１で示される展示容器が提案されている（図２６参照）。台紙を真空成型品である透明なブリスターパックの側面２ケ所のフラップに挿通することによって、ブリスターに形成した凹状の物品収納部に商品（図示せず）を収納しうる包装容器（スライド式ブリスターパック）であって、ブリスターパックは台紙全面を覆い、ブリスターパックの下辺にあるフラップとブリスターパックに設けたツメ及び台紙に設けた孔により、両者を固定する機能を備える。
また特許文献２では図２７に示されるように、ブリスターパックが台紙の一部分を覆い、スライド用係合部が側面２箇所のみである点で特許文献１との違いはあるが、やはりブリスターパックに設けた爪部と台紙に設けた切込みとにより両者を固定する機能を備える。
【特許文献１】特開２００１−３０１８２３号公報
【特許文献２】特開２００５−０７５４６０号公報
【発明の開示】
【発明が解決しようとする課題】
【０００３】
しかし特許文献１の発明では、ブリスターパックが台紙全面を覆っているため材料使用量が増え、また台紙の各種孔に対応した孔を開ける必要があり、更にカードを挿入する際のスライド用係合部（フラップ）が３箇所あるため加工工数が増えるためコスト増加の要因となる。またブリスターパックに設けたツメ及び台紙に設けた孔による固定を容易に可能せしめているため解除もまた容易であり、店頭において予め所有していたかのように商品の中身のみを盗まれるといった畏れもある。
また特許文献２の発明においては半円状の爪部を切込みに差し込む作業の改善を図っているものの、爪部と切込みとの距離が近すぎ実作業においては未だ困難な点が残っている。それゆえ実作業においては爪部の差込作業時に台紙を折り曲げてしまう畏れがあった。しかも商品を取り出す際には台紙を軽くたわませる事により容易に爪部の差込みが解除してしまうため、店頭において予め所有していたかのように商品の中身のみを盗まれるという行為がなされ易いという欠点もあった。
【課題を解決するための手段】
【０００４】
本発明者は上記事情に鑑み鋭意研究した結果、スライド式ブリスターパックにおいて、ブリスターケースと台紙との固定（ロック）を容易に行うことが出来、しかも一旦装着すると外すには困難となるスライド式ブリスターパックを見出し、本発明を完成したものである。
【０００５】
即ち本発明は、商品を収容する商品収容凹部と左右両端部をコの字状に折り曲げて形成したスライド用係合溝を有する略平板状のブリスターケースと、ブリスターケースよりも
スライドする上下方向に大きく、ブリスターケースのスライド用係合溝を対面状態でスライドさせ適正位置で固定する台紙とからなり、
ブリスターケースには台紙が挿入される側とは反対側（上部側）に台紙と互いに固定するための爪部を突設してあり、台紙にはスライド用係合溝に当接することにより適正位置で停止する突起を下部側に有し、更に台紙には停止した適正位置で上記爪部を差込むための切込み部を有するスライド式ブリスターパックであって、
ブリスターパックの爪部を台紙の切込み部に差込む際に差込み易くする手段と、一旦差込んだ爪部が切込み部から抜け難くする手段とを有する事を特徴とする。
また上記差込み易くする手段として、爪スライド用係合部の上部を欠如させたものや、爪部の付け根に侵食部を有するもの、切込み部の中央部に下側方向へ突出する切込み形状（差込み補助用切込み）を有するもの等がある。
また上記抜け難くする手段としては、爪部の幅を爪部根元の幅よりも広い部分を設け段差を有する形状とするもの、切込み部の両端に上側方向へ突出する切込み形状（差込みロック用切込み）を有するもの等が挙げられる。
【発明の効果】
【０００６】
本発明によれば、ブリスターパックと台紙との装着は容易に行う事が出来るため、製造ラインでは包装作業が容易となり、また装着を解除するには困難であるため、不正に商品の中身のみを盗まれるという欠点を補う事が出来る。
具体的にはスライド用係合部の上部を欠如させた場合、爪部を切込み部に差込む際に台紙を大きく後方に反らせる事が可能となるため差込み易くなる。従って作業中の台紙の折れを防止することができる。
また爪部の付け根に侵食部を設けた場合、差込み作業時に爪部の挿入角度を得やすく差込み作業が容易になる。
また切込み部の中央に差込み補助用切込みを設けた場合には、台紙を後方へ反らした際に切込み部が孔状に開口するため爪部の挿入がし易く台紙の折れを防止できる。
これらの手段は単独で用いる事も可能であるが、複数の手段を併用すると効果が増大する。
一方、爪部の幅を根元の幅よりも広い部分を設け段差を有した形状とした場合には、一旦差込み部に差込むと該段差による引っ掛かりが生じ爪部が抜け難くなる。
当該手段は単独で用いても抜け難くなる効果を十分有するるが、以下の手段を併せて用いることで、より強固にロックすることが可能となる。
すなわち切込み部の両端に差込みロック用切込みを設けることにより、爪部を抜こうとした場合に当該差込みロック用切込みが大きな障壁を形成するため、爪部との引っ掛かりがより大きくなり爪部の抜けを防止することができる。
【発明を実施するための最良の形態】
【０００７】
以下、図面に基づき本発明のスライド式ブリスターパックを用いた実施の形態について例を挙げて説明するが、本発明は当実施例に限定されるものではない。
図１は本発明のスライド式ブリスタパックの一実施例の形態を示す正面図である。この実施の形態では、スライド式ブリスターパックは、皮膚の保護化粧料容器（図示せず）を収納して吊下げ展示するためのものであり、平板状厚紙製の台紙１と真空成形により成形された透明プラスチック製のブリスターケース２とで構成されている。
【０００８】
上記台紙１は、図２に示すように、略長方形状に形成された平板状厚紙で構成されており、その上端面１ａ、互いに平行に形成された左側面１ｂ，右側面１ｄの下端部に、ブリスターケース２のスライド用係合部８の下端面に当接して下方へのスライドを停止させる突起（凸部）３が形成されている。また上記台紙１には、その上部の中央に切込み部６が
設けられており、切込み部６は直線状の切込み６ａの両端に上向き半円状の切込み（差込みロック用切込み）６ｂと、中央には下向き半円状の切込み（差込み補助用切込み）６ｃを有している。図２において、４は上記台紙１の上端部に穿設された吊り下げ用孔である。
【０００９】
上記ブリスターケース２は、上記台紙１にスライド自在に装着されるものであり、図３〜図６に示すように、平板部１０と、この平板部１０から表側に一体的に突出形成された（上記化粧料容器を収容しうる）収容部９と、上記平板部１０の上端面１０a から上方に突出形成された略矢印形状の爪部５と、上記平板部１０の左側面部１０ｂ，右側面１０ｄにある左耳片１１ｂ，右耳片１１ｄを裏側に折り曲げることにより上記平板部１０の左右両側に略コの字形状の溝状隙間として形成された左右一対のスライド用係合部８とで構成されている。尚図３から明らかなように、耳片１１ｂ，１１ｄの上端面（１０ａ）側と下端面（１０ｃ）側は欠如しているため、スライド用係合部８も上端面側と下端面側が欠如している。上端面側の欠如は後述する本願発明の差込み易くする手段のひとつとして、また下端面側の欠如は台紙１に形成される突起３をブリスターケース２内に収納し、爪部５と切込み部６との位置を合わせるために設けられている。このようなブリスターケース２は、例えば透明なＰＶＣ（塩化ビニル樹脂）を用いて真空成形により作製されたものである。
【００１０】
そしてブリスターケース２の略矢印形状の爪部５の根元部分にはブリスターケース２の内側方向に侵食するように半円状の侵食部７が２ケ所設けられている。また両スライド用係合部８は台紙１の左右両側縁部にスライド自在に係合されるようにしている。更にブリスターケース２の下端面１０ｃ側には、自立させて陳列することを可能にしうる陳列用脚部１２が２ケ所に設けられている。
【００１１】
上記の構成において、ブリスターケース２の収容部９内に化粧料容器を収容し、ついでブリスターケース２の両スライド用係合部８の下端部を台紙１の左右両側縁部の上端部に挿入・係合し、ブリスターケース２を台紙１に沿って対面状態で下方にスライドさせて上記両スライド用係合部８の下端面を台紙１の両突起３の上端面に当接させる。この当接状態で、ブリスターケース２の爪部５は、台紙１の切込み部６に対応する位置に位置決めされている。そして、ブリスターケース２の爪部５を台紙１の切込み部６に差込む際には、この爪部５を台紙１側に折り曲げるとともに、台紙１の上部を後方へ反らし、上記爪部５を切込み部６に挿入する。
【００１２】
爪部５を切込み部６に差込む作業において、台紙１の上部を後方へ反らすと、本実施例では前述の如くスライド用係合部８の上端面側が欠如しているため、爪部５に対してより大きく後方へ反らすことが出来る（図７参照）。これにより爪部５と切込み部６との間隔が大きくなり差込み作業が容易となる。スライド用係合部８の上端面側の欠如が無い場合には、図８に示す様に台紙を後方へ反らして爪部５と切込み部６との間隔を確保することが困難である点と比較すると分かり易い。つまりスライド用係合部８の上端面側を欠如させる事が爪部５を差込み易くする１つの手段と言える。
【００１３】
上記スライド用係合部８の上端面側の欠如の長さＨ４は、ブリスターケース２の爪部５を含まない全長をＨ１、スライド用係合部８長さ（耳片１１ｂ，１１ｄ長さ）をＨ３、下端面側欠如長さをＨ２とすると、
Ｈ４＝Ｈ１−Ｈ２−Ｈ３
で表される（図３参照）。
ここで上端面欠如長さＨ４は、
０＜Ｈ４＜（１／４）×Ｈ１
の範囲にある。
Ｈ４は極力大きい方が望ましいが、ブリスターケース２の全長Ｈ１に対して１／４以上になると、ブリスターケース２と台紙１との固定強さが弱くなるため、全長Ｈ１の１／４の長さよりも短くした方が良い。
【００１４】
爪部５の根元には半円状の侵食部７が形成されているため、爪部５を切込み部６に差込む作業において、ブリスターケース２の上端面より下方を支点として折り曲げることができるため爪部の折り曲げ支点への負担が小さくて済む（図９参照）。従って台紙１側の反らす負担も少なくて済む。この侵食部７が無い場合には、図１０に示す様にブリスターパック２の上端面が爪部を折り曲げる支点となり、折り曲げ支点への負担が大きくなる。つまり爪部５の根元に侵食部７を形成する事も爪部５を差込み易くする１つの手段と言える。
尚侵食部７の形状は、本実施例の如く半円状である必要はなく、図１１〜１３にて示す様に楕円形状であったり、逆三角形状であったりしてもよい。重要な点は爪部５の折り曲げ支点をブリスターケース２の上端面１０ａよりも下方とする点であり、これを達成できるのであれば形状は如何様であっても良い。
【００１５】
台紙１に形成された切込み部６の中央に設けた半円状の突出部（差込み補助用切込み）６ｃは、爪部５を切込み部６に差込む作業において、台紙１を後方へ反らすことにより、図１４の如く該差込み補助用切込み６ｃが持ち上がり、切込み部６に孔状の開口部を創り出す。従って差込み口が大きく開口しているため爪部５を差込む作業が容易となる。つまり差込み部６中央に設けた半円状の差込み補助用切込み６ｃも爪部５を差込み易くする１つの手段と言える。
ここで差込み補助用切込み６ｃの形状は、本実施例の如く半円状である必要はなく、図１５，１６に示す様に逆三角形状であったり、四角形状であったりしてもよい。重要な点は台紙１を後方へ反らした際に、直線状の切込みでは得られない面積を有する部分が持ち上がり孔状の開口部を形成する所にあり、当該目的を達成可能であれば形状は如何様であっても良い。
【００１６】
以上挙げた爪部５を差込み易すくする手段は単独でも効果があるが、複数の手段を併用することで、より差込む作業が容易となる。
【００１７】
本実施例においては、爪部５の形状は略矢印形状としている。これはブリスターケース上端面１０ａから突出する爪部５の幅がＷ１であるのに対し、途中より幅を広くし段差を設けてＷ２とすることにより、一旦差込んだ爪部５が切込み部６より抜け難くする効果がある。例えば特許文献２に示される図２８の様に半円状の爪部であると、爪部が切込み部６のどの部分に差込まれていようと抜け易さには変化が生じない。しかし本願の様に幅に段差を設けることにより、仮に爪部５が少し左右方向にズレた場合には、爪部５の幅広部Ｗ２部分が切込み部６の片端部分に引っ掛かり抜け難くなる。つまり爪部５の段差のある形状は爪部５が切込み部６から抜け難くなる１つの手段と言える。
ここで爪部５の形状は、本実施例の如く略矢印形状である必要はなく、図１７，１８に示す様に、きのこ状に上が半円状であったり、上部が台形形状であってもよい。重要な点は爪部に段差を有しており、一旦切込み部６へ差込んだ爪部を抜く場合に引っ掛かりが生じやすい形状である点であり、当該目的を達成可能であれば形状は如何様であっても良い。但し爪の先端部は尖っていた方が切込み部６へ差込み作業はしやすい。
【００１８】
本実施例では切込み部６で直線状の切込み６ａの両端に上向き半円状の切込み（差込みロック用切込み）６ｂを有している。本形状によれば、先述の段差を有する爪部形状による抜け難くする手段をより強固とする事が可能となる。つまり一旦切込み部６へ差込んだ段差を有する爪部５を引き抜こうとすると、当該差込みロック用切込み６ｂが大きな障壁を形成することになり、爪部５の段差がその障壁に接触することになり大変抜け難くなる
。
ここで差込みロック用切込み６ｂの形状は、本実施例の如く半円状である必要はなく、図１９〜２１に示す様に、三角形状であったり、楕円形状・四角形状であったりしてもよい。重要な点は爪部５の段差部分に当該差込みロック用切込み６ｂ部分が当たるという点であり、当該目的を達成可能であれば形状は如何様であっても良い。
【００１９】
爪部５が抜け難くなる効果を十分発揮するためには、爪部５の幅Ｗ２と切込み部６における直線状の切込み６ａ幅ｗ１と切込み部６の全幅ｗ３との関係は以下である事が好ましい（図２２参照）。
ｗ１＜Ｗ２≦ｗ３
ここでＷ２とｗ３との関係であるが、爪部５を切込み部６へ差込む作業において、爪部５の形状や切込み部６の形状を著しく破壊しない程度に逆転していても構わないが、Ｗ２の方が大きくなりすぎると差込みできなくなるため同一寸法程度に留めておく方が望ましい。更に上記の関係においてｗ１の代わりに、２つの差込みロック用切込み６ｂの最も上部に突出した部分を結ぶ距離ｗ２を採用する（関係式を下に記載）と、爪部５を切込み部６から抜く際には爪部５が両方の差込みロック用切込み６ｂに接触する事になり、より望ましい。
ｗ２＜Ｗ２≦ｗ３
【００２０】
また爪部５と切込み部６との上下方向の寸法の制約として、以下の関係式が成り立つ（図２２参照）。
（ｈ１＋ｈ３）≦（Ｈ３＋Ｈ４＋Ｈ５）
ｈ１：台紙１の突起３の上端面から切込み部６の直線状切込み部６ａ間の距離
ｈ３：差込みロック用切込み６ｂの高さ寸法
Ｈ３：スライド用係合部８長さ
Ｈ４：ブリスターケース２の上端面部からスライド用係合部８の上端面間距離
Ｈ５：ブリスターケース２の上端面部から爪部段差間の距離
これは（ｈ１＋ｈ３）寸法の方が（Ｈ３＋Ｈ４＋Ｈ５）寸法よりも長くなると爪部５の切込み部６への挿入が不確実となる。また（Ｈ３＋Ｈ４＋Ｈ５）が長過ぎると爪部が吊下げ用穴６を覆ったり、台紙１をはみ出したりという不具合が発生する。また（Ｈ３＋Ｈ４＋Ｈ５）が長いと、爪部５の差込みの作業に支障をきたすことになるため、これらの支障が生じないように設定することが必要である。
【００２１】
爪部５を切込み部６に差込み易くする手段として上記に挙げた例以外にも、切込み部６の中央部分に差込み補助孔Ａを開ける（図２３参照）、切込み部６を押圧し厚みを薄くした部分Ｂを設ける（図２４参照）、爪部５の先端を押圧し薄くした部分Ｃを設ける（図２４参照）、等がある。
一方爪部５が切込み部６から抜け難くする手段として、爪部５の幅を切込み部６よりも大きくし、切込み部６の幅よりも狭くなる部位に折り曲げ部Ｄを設け、差込みする際には折り曲げ部Ｄを折り曲げて幅を狭くして差し込んだ後に折り曲げ部を開く（図２５参照）等がある。
【産業上の利用可能性】
【００２２】
本発明はスライド式ブリスターパックとして活用できる他、２つの部材の接合する際の基本技術として応用できる。その場合繰り返し抜き差しするという使用には適さない点は留意しておく必要がある。
【図面の簡単な説明】
【００２３】
【図１】本発明のスライド式ブリスターパックの一実施例の形態を示す正面図
【図２】台紙の正面図
【図３】ブリスターケースの正面図
【図４】ブリスターケースの底面図
【図５】ブリスターケースの側面図
【図６】ブリスターケースの斜視図
【図７】爪部５を切込み部６へ差込む際の台紙１状態を示す部分側面図（スライド用係合部８の上部欠如有り，参考正面図付き）
【図８】爪部５を切込み部６へ差込む際の台紙１状態を示す部分側面図（スライド用係合部８の上部欠如無し，参考正面図付き）
【図９】爪部５を切込み部６へ差込む際の爪部５状態を示す部分側面図（侵食部７有り，参考正面図付き）
【図１０】爪部５を切込み部６へ差込む際の爪部５状態を示す部分側面図（侵食部７無し，参考正面図付き）
【図１１】侵食部７の他の実施例
【図１２】侵食部７の他の実施例
【図１３】侵食部７の他の実施例
【図１４】差込み補助用切込み６ｃが持ち上がった状態を示す斜視図
【図１５】差込み補助用切込み６ｃの他の実施例
【図１６】差込み補助用切込み６ｃの他の実施例
【図１７】爪部５の他の実施例
【図１８】爪部５の他の実施例
【図１９】差込みロック用切込み６ｂの他の実施例
【図２０】差込みロック用切込み６ｂの他の実施例
【図２１】差込みロック用切込み６ｂの他の実施例
【図２２】差込みロック用切込み６ｂの他の実施例
【図２３】爪部５を切込み部６に差込み易くする他の実施例
【図２４】爪部５を切込み部６に差込み易くする他の実施例
【図２５】爪部５を差込み部６から抜け難くする他の実施例
【図２６】先行技術（特許文献１）を示す図面
【図２７】先行技術（特許文献２）を示す図面
【図２８】先行技術（特許文献２）の爪部形状を示す図
【符号の説明】
【００２４】
１          台紙
１ａ        台紙上端面
１ｂ        台紙左側面
１ｃ        台紙下端面
１ｄ        台紙右側面
２          ブリスターケース
３          突起
４          吊下げ用孔
５          爪部
６          切込み部
６ａ        直線状切込み
６ｂ        差込みロック用切込み
６ｃ        差込み補助用切込み
７          侵食部
８          スライド用係合部
９          収容部
１０        平板部
１０ａ      平板部上端面
１０ｂ      平板部左側面
１０ｃ      平板部下端面
１０ｄ      平板部右側面
１１ｂ      左耳片
１１ｄ      右耳片
１２        陳列用脚部
Ａ          差込み補助孔
Ｂ          切込み部６押圧部
Ｃ          爪部５押圧部
Ｄ          折り曲げ部
【図１】
2007137443.tif 000003
【図２】
2007137443.tif 000004
【図３】
2007137443.tif 000005
【図４】
2007137443.tif 000006
【図５】
2007137443.tif 000007
【図６】
2007137443.tif 000008
【図７】
2007137443.tif 000009
【図８】
2007137443.tif 000010
【図９】
2007137443.tif 000011
【図１０】
2007137443.tif 000012
【図１１】
2007137443.tif 000013
【図１２】
2007137443.tif 000014
【図１３】
2007137443.tif 000015
【図１４】
2007137443.tif 000016
【図１５】
2007137443.tif 000017
【図１６】
2007137443.tif 000018
【図１７】
2007137443.tif 000019
【図１８】
2007137443.tif 000020
【図１９】
2007137443.tif 000021
【図２０】
2007137443.tif 000022
【図２１】
2007137443.tif 000023
【図２２】
2007137443.tif 000024
【図２３】
2007137443.tif 000025
【図２４】
2007137443.tif 000026
【図２５】
2007137443.tif 000027
【図２６】
2007137443.tif 000028
【図２７】
2007137443.tif 000029
【図２８】
2007137443.tif 000030